(57)【要約】  【課題】  景品等の付帯物品を収容した状態で、飲料等を収容する缶のような円筒状等の筒状物や円柱等の柱状物に添着することのできる袋体に関し、缶入りの飲料容器のように首部が存在せずに全体が同幅に形成されたような容器にも、景品やサンプル等の付帯物品を収容した状態で添えることができる筒状物、柱状物への添着用袋体を提供することを課題とする。  【解決手段】  被収納物を収納可能な袋本体１と、筒状又は柱状物の被添着物１２に添着可能な添着部３とを具備し、前記添着部３は前記被添着物１２の外表面に沿って添着されるべく湾曲、変形可能であるとともに、前記袋本体１は、前記被添着物１２の外表面に沿って添着される添着部３に伴って湾曲、変形しないように構成されていることを特徴とする。【選択図】  図１
2006290375.tif 000002
【特許請求の範囲】
【請求項１】
被収納物を収納可能な袋本体（１）と、筒状又は柱状物の被添着物（１２）に添着可能な添着部（３）とを具備し、前記添着部（３）は前記被添着物（１２）の外表面に沿って添着されるべく湾曲、変形可能であるとともに、前記袋本体（１）は、前記被添着物（１２）の外表面に沿って添着される添着部（３）に伴って湾曲、変形しないように構成されていることを特徴とする筒状物、柱状物への添着用袋体。
【請求項２】
添着部（３）が被添着物（１２）の外表面に沿って添着される際に、袋本体（１）は直面状に保持されるように構成されている請求項１記載の筒状物、柱状物への添着用袋体。
【請求項３】
袋本体（１）と添着部（３）とがシール部（１３）を介して連設され、該シール部（１３）に、添着部（３）が被添着物（１２）の外表面に沿って添着される際に袋本体（１）
を分離させるための切欠部（１４）が形成されている請求項１又は２記載の筒状物、柱状物への添着用袋体。
【請求項４】
添着部（３）が袋本体（１）とは別体に形成され、該添着部（３）が被添着物（１２）の外表面に沿って添着される際に該添着部（３）の両側が湾曲、変形しうるように、前記添着部（３）の略中央部が袋本体（１）にシール部（６）で取り付けられている請求項１又は２記載の筒状物、柱状物への添着用袋体。
【請求項５】
添着部（３）が被添着物（１２）に被嵌されるべく袋状に形成されている請求項１又は２記載の筒状物、柱状物への添着用袋体。
【発明の詳細な説明】
【技術分野】
【０００１】
本発明は筒状物、柱状物への添着用袋体、さらに詳しくは、景品等の付帯物品を収容した状態で、飲料等を収容する缶のような円筒状等の筒状物や円柱等の柱状物に添着することのできる袋体に関する。
【背景技術】
【０００２】
近年、景品やサンプル等の付帯物品を収容した状態で、飲料等を収容するボトルの首部に掛止されてそのボトルに添着されるボトルネッカーと称される袋体が普及しつつある。このようなボトルネッカーに関して、たとえば下記特許文献１乃至３のような特許出願が従来存在する。
【０００３】
【特許文献１】特許第３２６８２７０号公報
【特許文献２】特開２００１−５８６４２号公報
【特許文献３】特開２００４−３４７９６５号公報
【０００４】
この特許文献１乃至３に開示されたようなボトルネッカーは、いずれもヘッダー部分である掛止部に切欠等を形成し、切り欠き後の孔をボトルの首部等に挿入するとともに、切り欠き後に残存している切欠片（タグ片）がボトルのキャップ部に当接するように構成されているものである。
【０００５】
しかし、このようなボトルネッカーは、上述のように掛止部の孔をボトルの首部等に挿入し、切欠片（タグ片）をボトルのキャップ部に当接するように構成されているので、ペットボトル等の飲料用ボトルのように胴部に対して首部が細く形成されたような容器には添着することができるが、缶入りの飲料容器のように円筒状、円柱状に形成されていて、首部が存在せずに全体が同幅に形成されたような容器には添着することができない。
【０００６】
すなわち、胴部に対して細く形成された首部が存在せず、孔をボトルの首部に挿入して切欠片（タグ片）をボトルのキャップ部に当接させることができないので、缶入りの飲料容器のように首部が存在せずに全体が同幅に形成されたような容器には、ボトルネッカーを添着することができなかったのである。
【０００７】
このため、スーパーマーケットやコンビニエンスストア等において、同じように飲料を収容して店頭に陳列される容器でありながら、ペットボトルのようなプラスチック製の容器にはボトルネッカーを添着して、景品やサンプル等の付加価値を付けることで本来の商品であるボトル内の収容物の消費者に対する購買意欲を高めることができるが、缶入りの容器にはボトルネッカーを添着することができないので、そのような付加価値を商品としての飲料に付加することができないこととなっていた。
【発明の開示】
【発明が解決しようとする課題】
【０００８】
本発明は、このような問題点を解決するためになされたもので、缶入りの飲料容器のように首部が存在せずに全体が同幅に形成されたような容器にも、景品やサンプル等の付帯物品を収容した状態で添えることができる筒状物、柱状物への添着用袋体を提供することを課題とする。また、より具体的な課題は、袋部内に収容される被収容物を、湾曲や変形等を生じさせることなく正面側から真っ直ぐな状態で現出させることができ、その被収納物の展示効果を著しく向上させることができる筒状物、柱状物への添着用袋体を提供することである。
【課題を解決するための手段】
【０００９】
本発明は、このような課題を解決するためになされたもので、請求項１記載の発明は、
被収納物を収納可能な袋本体１と、筒状又は柱状物の被添着物１２に添着可能な添着部３とを具備し、前記添着部３は前記被添着物１２の外表面に沿って添着されるべく湾曲、変形可能であるとともに、前記袋本体１は、前記被添着物１２の外表面に沿って添着される添着部３に伴って湾曲、変形しないように構成されていることを特徴とする。
【００１０】
また請求項２記載の発明は、請求項１記載の筒状物、柱状物への添着用袋体において、添着部３が被添着物１２の外表面に沿って添着される際に、袋本体１は直面状に保持されるように構成されていることを特徴とする。
【００１１】
さらに請求項３記載の発明は、請求項１又は２記載の筒状物、柱状物への添着用袋体において、袋本体１と添着部３とがシール部１３を介して連設され、該シール部１３に、添着部３が被添着物１２の外表面に沿って添着される際に袋本体１を分離させるための切欠部１４が形成されていることを特徴とする。
【００１２】
さらに請求項４記載の発明は、請求項１又は２記載の筒状物、柱状物への添着用袋体において、添着部３が袋本体１とは別体に形成され、該添着部３が被添着物１２の外表面に沿って添着される際に該添着部３の両側が湾曲、変形しうるように、前記添着部３の略中央部が袋本体１にシール部６で取り付けられていることを特徴とする。
【００１３】
さらに請求項５記載の発明は、請求項１又は２記載の筒状物、柱状物への添着用袋体において、添着部３が被添着物１２に被嵌されるべく袋状に形成されていることを特徴とする。
【発明の効果】
【００１４】
上述のように、本発明は、被収納物を収納可能な袋本体と、筒状又は柱状物の被添着物に添着可能な添着部とを具備し、前記添着部は前記被添着物の外表面に沿って添着されるべく湾曲、変形可能であるとともに、前記袋本体は、前記被添着物外表面に沿って添着される添着部に伴って湾曲、変形しないように構成されているものであるため、筒状物、柱状物のように首部が存在せず、全体が同幅に形成されているようなものでも添着することができ、従って缶入り飲料等に被収納物を袋本体に収納した袋体を添着した状態で店頭等に陳列することができるという効果がある。
【００１５】
また、添着部が被添着物の外表面に沿って添着される際に、袋本体が直面状に保持されるように構成した場合には、袋本体に収納されている被収納物を、湾曲や変形等を生じさせることなく正面側から真っ直ぐな状態で現出させることができ、その被収納物の展示効果を従来のボトルネッカー等に比べて著しく向上させることができるという効果がある。
【００１６】
さらに袋本体と添着部とがシール部を介して連設され、該シール部に、添着部が被添着物の外表面に沿って添着される際に袋本体を分離させるための切欠部が形成されている場合には、切欠部の部分において袋本体が添着部から分離されるので、袋本体は添着部とともに湾曲、変形することがなく、袋本体の全体がほぼ直面状に維持されることとなる。
【００１７】
さらに、添着部が袋本体とは別体に形成され、該添着部が被添着物の外表面に沿って添着される際に該添着部の両側が湾曲、変形しうるように、前記添着部の略中央部が袋本体にシール部で取り付けられている場合には、添着部は、中央のシール部の位置のみで袋本体に取り付けられているので、添着部を被添着物に沿って添着する場合、１枚の添着部の両側は袋本体から離間して湾曲、変形し易く、従って袋本体は湾曲することなく、その全体がほぼ直面状に維持されることとなる。
【発明を実施するための最良の形態】
【００１８】
以下、本発明の実施形態について図面に従って説明する。
【００１９】
（実施形態１）
本実施形態の添着用袋体は、図１及び図２に示すように、被収納物を収納する収納部２を備えた袋本体１と、飲料を収容する缶のような被添着物に添着可能な添着部３とで構成されている。袋本体１は全体が透明な合成樹脂製フィルムからなり、左右いずれかの一端側に開口部４を有し、該袋本体１を構成するフィルムからなる一片１ａ及び他片１ｂのうち、一片１ａを前記開口部４の外側に延長して封緘片５が形成されている。
【００２０】
添着部３は、袋本体１と同様に全体が透明な合成樹脂製フィルムで構成されており、その中央のシール部６の位置で前記袋本体１の他片１ｂ側に熱シールによって取り付けられている。そして、その添着部３の外表面の左右両側には、接着剤７、７を介して離型材８、８が設けられている。また前記封緘片５にも接着剤９を介して離型材１０が設けられている。
【００２１】
そして、このような構成からなる添着用袋体を使用する場合には、封緘片５から離型材１０を剥離するとともに、図３に示すように前記開口部４から袋本体１の収納部２内に被収納物１１を収納した後、接着剤９を介して封緘片５を袋本体１の他片１ｂ側に接着する。
【００２２】
その後、図４及び図５に示すように、添着部３の両側の離型材８、８を剥離し、接着剤７、７を介して添着部３を円筒状の缶等の被添着物１２に接着する。この場合において、添着部３は１枚の合成樹脂フィルムからなるので、円筒状の缶等の被添着物１２に沿って湾曲し、両側の接着剤７、７を介して安定した状態で被添着物１２に接着される。
【００２３】
これに対して袋本体１は添着部３とともに湾曲することがない。すなわち、添着部３は、中央のシール部６の位置のみで袋本体１に取り付けられているので、添着部３を円筒状の被添着物１２に沿って貼着する場合、１枚の合成樹脂フィルムからなる添着部３の両側は
袋本体１から離間して湾曲し、従って袋本体１は湾曲することなく、図４及び図５に示すように、袋本体１の全体がほぼ直面状に維持されることとなる。
【００２４】
この結果、袋体の外観体裁を損なうことがないばかりでなく、収納部２内に収納された被収納物１１は、正面側から真っ直ぐな状態で現出させることができ、被収納物１１の展示効果を非常に良好なものとすることができ。ひいては商品である缶内の飲料等の消費者に対する購買意欲を高めることにもなるのである。
【００２５】
尚、本実施形態では、上述のように袋本体１とは別体の合成樹脂製フィルムを、中央のシール部６の位置で袋本体１に熱シールすることによって添着部３が取り付けられるが、
このように中央のシール部６の位置のみで別体の合成樹脂製フィルムを袋本体１に熱シールするのは容易ではない。
【００２６】
そこで実際の製造工程においては、前記シール部６が形成されるべき中央の位置を外して（中央の位置を除外して）、添着部３を構成する合成樹脂製フィルムと袋本体１を構成する合成樹脂製フィルムとの間に予め離型用フィルムを介挿し、その状態で熱シールがなされる。この場合、離型用フィルムにはシリコン樹脂等が塗布されて離型処理がなされているので、この離型用フィルムが介挿された位置が熱シールされることがなく、そのような離型用フィルムが介挿されない中央の位置のみが熱シールされて上記のようなシール部６が形成されるのである。
【００２７】
（実施形態２）
本実施形態では、図６及び７に示すように、袋本体１の下部に開口部４が形成されており、この点で袋本体１の左右いずれかの一端側に開口部４が形成されていた実施形態１の場合と相違する。ただし袋本体１を構成するフィルムからなる一片１ａ及び他片１ｂのうち、一片１ａを開口部４の外側（下側）に延長して封緘片５が形成され、その封緘片５に接着剤９を介して離型材１０が設けられている点は実施形態１と共通する。袋本体１の上部には、一片１ａと他片１ｂとが熱溶着されて所定幅のシール部１３が形成されている。そして、そのシール部１３の左右は切断されることによって切欠部１４、１４が形成されている。
【００２８】
本実施形態においては、前記シール部１３より上側が添着部３として形成されている。
この添着部３の他片側（袋本体１の他片１ｂから上部に延長された部分）には、接着剤１５を介して離型材１６が設けられている。
【００２９】
本実施形態の添着用袋体を使用する場合には、封緘片５から離型材１０を剥離するとともに、図８に示すように開口部４から袋本体１の収納部２内に被収納物１１を収納した後、接着剤９を介して封緘片５を袋本体１の他片１ｂ側に接着する。その後、図９及び図１０に示すように、添着部３の離型材１６を剥離し、接着剤１５を介して添着部３を円筒状の缶等の被添着物１２に接着する。
【００３０】
この場合において、添着部３と袋本体１間のシール部１３における左右両側には、該シール部１３の部分が切断されて切欠部１４、１４が形成されているため、添着部３は円筒状の缶等の被添着物１２に沿って湾曲し、両側の接着剤１５、１５を介して安定した状態で被添着物１２に接着される。
【００３１】
しかし、袋本体１は前記切欠部１４、１４の部分において添着部３から分離されるので、
添着部３とともに湾曲することがない。すなわち、切欠部１４、１４の部分を介して袋本体１から分離された添着部３のみが円筒状の被添着物１２に沿って湾曲しつつ貼着されることとなり、袋本体１は湾曲することないので、図９及び図１０に示すように、袋本体１の全体がほぼ直面状に維持されることとなる。
【００３２】
従って、本実施形態においても、収納部２内に収納された被収納物１１は、正面側から真っ直ぐな状態で現出させることができ、被収納物１１の展示効果を非常に良好なものとすることができ。ひいては商品である缶内の飲料等の消費者に対する購買意欲を高めることができる。
【００３３】
（実施形態３）
本実施形態では、図１１及び図１２に示すように開口部４が袋本体１の上部に形成されており、この点で袋本体１の下部に開口部４が形成されていた実施形態２の場合と相違する。また、袋本体１と添着部３とを区画するシール部１３が、袋本体１の上部のみならず、袋本体１の下部にも形成されている。従って、本実施形態においては、添着部３が袋体の上下２箇所に形成されていることになる。
【００３４】
そして、上部の添着部３に設けられている接着剤１５及び離型材１６は、下部の添着部３にも設けられている。また本実施形態では、開口部４を封緘する封緘片５が、上部のシール部１３から合成樹脂製フィルムを下方に延長することによって形成されている。そして、その封緘片５の内面側に接着剤９を介して離型材１０が設けられている。
【００３５】
シール部１３に切欠部１４、１４が形成されている点は、上記実施形態２と共通するが、
本実施形態では、シール部１３が袋本体１の下部側にも形成されているので、その下部側のシール部１３にも切欠部１４、１４が形成されている。
【００３６】
本実施形態の添着用袋体も、実施形態２と同様に封緘片５から離型材１０を剥離し、開口部４から袋本体１の収納部２内に被収納物１１を収納した後、図１３に示すように接着剤９を介して封緘片５を袋本体１の他片１ｂ側に接着する。その後、上下の添着部３の離型材１６を剥離し、接着剤１５を介して上下の添着部３を円筒状の缶等の被添着物１２に接着する。
【００３７】
この場合の断面形状は、上記実施形態２と同様に図９に示すような状態となる。しかし、本実施形態では添着部３が上下に形成されているので、上部の添着部３のみならず、下部の添着部３も円筒状の缶等の被添着物１２に沿って湾曲し、両側の接着剤１５、１５を介して被添着物１２に接着される。従って、本実施形態では、上記実施形態２に比べてより安定した状態で袋体が被添着物１２に添着されることとなる。
【００３８】
尚、袋本体１が切欠部１４、１４の部分において添着部３から分離され、分離された添着部３のみが円筒状の被添着物１２に沿って湾曲しつつ貼着される作用は実施形態２の場合と同様である。従って、本実施形態においても袋本体１の全体がほぼ直面状に維持され、収納部２内に収納された被収納物１１が正面側から真っ直ぐな状態で現出させることができ、被収納物１１の展示効果を非常に良好なものとすることができる。
【００３９】
（実施形態４）
本実施形態では、図１５及び図１６に示すように袋体の上部に袋本体１が形成され、シール部１３を介して下部に添着部３が形成されている。開口部４は袋本体１に形成されているが、本実施形態では上記実施形態１乃至３のような封緘片５が形成されておらず、開口部４の直下の内面側に接着剤１７を介して離型材１８が設けられている。
【００４０】
本実施形態では、図１６に示すように添着部３が袋状に形成されており、添着部３の上部両側にはガゼット１９、１９が形成されている。そして添着部３の両側の上縁部２０、２０は、図１５に示すように下向きに幅広な斜縁状に形成されている。
【００４１】
本実施形態の添着用袋体を使用する場合には、図１７及び図１８に示すようにガゼット１９、１９を展開して袋状の添着部３を広げ、同図のように被添着物１２に被嵌する。この場合において、添着部３がガゼット１９、１９を展開して広げられるので、図１７乃至図１９に示すように、２個並列に配置された缶等の被添着物１２に被嵌するこことができる。
【００４２】
従って、２個の缶入り飲料に対して１個の添着用袋体のみが使用されるので、添着用袋体に着目すれば、その袋体の使用量の削減を図ることができ、それによってコストの低減を図ることができる。一方、被添着物１２に着目すれば、１個の添着用袋体に収容された被収納物が消費者の興味を引くことで、２個の缶入り飲料が同時に販売される結果となるので、商品の販売量の増加に寄与することとなる。
【００４３】
本実施形態では、袋本体１内に収納される被収納物１１は、図１７や図１８に示すよう
に寝かせた状態で設置されることとなる。従って、上記実施形態１乃至３のように被収納物１１を正面側から真っ直ぐな状態で現出させることができるわけではないが、ガゼット１９、１９を展開して２個の缶入り飲料を１つの添着用袋体の添着部３で同時に被嵌するこことができるので、被添着物１２への添着用袋体の添着形態も実施形態１乃至３にはない独特のものとなり、これが別の意味で消費者の購買意欲を高める結果ともなる。
【００４４】
（実施形態５）
本実施形態は、上記実施形態３の添着用袋体（図１１及び図１２の袋体）を、上記実施形態４のように２個の被添着物１２に添着する場合についての実施形態である。すなわち、上記図１１及び図１２に示す添着用袋体の袋本体１内に被収納物１１を収納し、実施形態３と同様に接着剤９を介して封緘片５を袋本体１の他片１ｂ側に接着した後、図２０及び図２１に示すように、２個の被添着物（缶入り飲料）１２の上面に、被収納物１１を寝かせた状態で設置する。この点で、上記実施形態４と同様である。
【００４５】
本実施形態では、図２０及び図２１に示すように、２個並設された被添着物１２に袋本体１が跨がるように設置され、その状態で両側の添着部３が接着剤１５を介して被添着物１２に接着される。この場合において、接着剤１５は添着部３の略全域に設けられているので、図２０の２点鎖線に示すように、２個並設された被添着物１２に跨がるように添着部３が接着されるので、上記実施形態４のようにガゼットを展開して添着部３を被添着物１２に被嵌させるわけではないものの、安定した状態で袋体を被添着物１２に添着することができる。
【００４６】
（その他の実施形態）
尚、上記実施形態１では、開口部４が袋本体１の左右のいずれかに形成され、実施形態２では下部に形成され、実施形態３、４では上部に形成されていたが、開口部４の位置は問うものではない。
【００４７】
さらに添着部３を被添着物１２に添着する手段も、上記実施形態１乃至３のように接着剤を介して接着する手段に限らず、両面テープ等で止着する手段であってもよい。さらには実施形態４のような袋状の添着部３を被添着物１２に被嵌する手段、或いはそれ以外の手段であってもよい。
【００４８】
さらに、上記実施形態では、缶入り飲料に添着用袋体を添着する場合について説明したが、被添着物１２の種類も缶入り飲料に限定されるものではなく、他の容器、或いは容器以外のものであってもよく、また飲食物以外の商品を被添着物１２とすることも可能であ
る。
【００４９】
さらに被添着物１２の形状も円筒状や円柱状に限定されるものではなく、四角筒状や円柱状のもの、或いは三角筒状や三角柱状のものであってもよい。
【図面の簡単な説明】
【００５０】
【図１】一実施形態としての添着用袋体の正面図。
【図２】図１のＡ−Ａ線断面図。
【図３】離型材を剥離して被収納物を収納部内に収納した状態の断面図。
【図４】添着用袋体を被添着物に添着した状態の正面図。
【図５】図４のＢ−Ｂ線断面図。
【図６】他実施形態の添着用袋体の断面図。
【図７】図６のＣ−Ｃ線断面図。
【図８】離型材を剥離して被収納物を収納部内に収納した状態の断面図。
【図９】添着用袋体を被添着物に添着した状態の断面図。
【図１０】添着用袋体を被添着物に添着した状態の正面図。
【図１１】他実施形態の添着用袋体の正面図。
【図１２】図１１のＤ−Ｄ線断面図。
【図１３】離型材を剥離して被収納物を収納部内に収納した状態の断面図。
【図１４】添着用袋体を被添着物に添着した状態の正面図。
【図１５】他実施形態の添着用袋体の正面図。
【図１６】同縦断面図。
【図１７】図１５の添着用袋体を２個の被添着物に添着した状態の正面視側からの断面図。
【図１８】同側面視側からの断面図。
【図１９】同概略平面断面図。
【図２０】図１１の添着用袋体を２個の被添着物に添着した状態の正面視側からの断面図。
【図２１】同側面視側からの断面図。
【符号の説明】
【００５１】
１…袋本体              ３…添着部
【図１】
2006290375.tif 000003
【図２】
2006290375.tif 000004
【図３】
2006290375.tif 000005
【図４】
2006290375.tif 000006
【図５】
2006290375.tif 000007
【図６】
2006290375.tif 000008
【図７】
2006290375.tif 000009
【図８】
2006290375.tif 000010
【図９】
2006290375.tif 000011
【図１０】
2006290375.tif 000012
【図１１】
2006290375.tif 000013
【図１２】
2006290375.tif 000014
【図１３】
2006290375.tif 000015
【図１４】
2006290375.tif 000016
【図１５】
2006290375.tif 000017
【図１６】
2006290375.tif 000018
【図１７】
2006290375.tif 000019
【図１８】
2006290375.tif 000020
【図１９】
2006290375.tif 000021
【図２０】
2006290375.tif 000022
【図２１】
2006290375.tif 000023